(57)【要約】【課題】組み立ての作業効率の低下を抑制できる電子機器を提供する。【解決手段】電子機器は、第１方向に互いに対向する第１筐体部材と第２筐体部材とを有する筐体を備え、第１筐体部材に形成され、第１方向と交差する第２方向に延びる回転中心を有する回転軸１２と、第２筐体部材に形成され、回転軸１２を回転可能に支持するポケット２２と、回転軸１２及びポケット２２から第１方向及び第２方向と交差する第３方向に離間して第１筐体部材及び第２筐体部材に形成され、第１筐体部材と第２筐体部材とを係止させる係止機構と、を有し、ポケット２２の一端は、第１筐体部材に向けて開口した開口部２２ａとなっており、ポケット２２の他端は、開口部２２ａから導入された回転軸１２を支持する支持部２２ｃとなっており、ポケット２２の他端側の延在方向は、第３方向の成分を有している。【選択図】図６
2017126700.tif 000002
【特許請求の範囲】
【請求項１】
第１方向に互いに対向する第１筐体部材と第２筐体部材とを有する筐体を備える電子機器であって、
前記第１筐体部材に形成され、前記第１方向と交差する第２方向に延びる回転中心を有する回転軸と、
前記第２筐体部材に形成され、前記回転軸を回転可能に支持するポケットと、
前記回転軸及び前記ポケットから前記第１方向及び前記第２方向と交差する第３方向に離間して前記第１筐体部材及び前記第２筐体部材に形成され、前記第１筐体部材と前記第２筐体部材とを係止させる係止機構と、を有し、
前記ポケットの一端は、前記第１筐体部材に向けて開口した開口部となっており、
前記ポケットの他端は、前記開口部から導入された前記回転軸を支持する支持部となっており、
前記ポケットの他端側の延在方向は、前記第３方向の成分を有している、電子機器。
【請求項２】
前記ポケットには、前記回転軸を前記開口部から前記支持部までガイドするように、前記第１方向及び第３方向に対して傾斜した傾斜面又は曲面が形成されている、請求項１に記載の電子機器。
【請求項３】
前記筐体は、前記第３方向を長手方向とする直方体形状であり、
前記係止機構は、前記第１筐体部材及び前記第２筐体部材のいずれか一方に形成される孔部と、いずれか他方に形成され、前記孔部に係止される突起とを有し、
前記係止機構は複数形成され、複数の前記係止機構は前記長手方向に並んで配置されている、請求項１又は２に記載の電子機器。
【請求項４】
前記筐体内には弾性体が配置され、
前記弾性体によって前記第１筐体部材と前記第２筐体部材とが互いに離れる向きに押圧されている、請求項３に記載の電子機器。
【請求項５】
複数の前記係止機構が係止されていない状態において、少なくとも一の前記係止機構では、当該係止機構の前記孔部の中心位置と当該孔部に隣り合った他の前記孔部の中心位置との前記第１方向に関するズレ量は、当該係止機構の前記突起の中心位置と前記他の孔部に対応した他の前記突起の中心位置との前記第１方向に関するズレ量と相違する、請求項３に記載の電子機器。
【請求項６】
前記孔部には、前記突起を前記第１方向にガイドする凹部が設けられており、
前記凹部は、前記孔部に向かって前記第１筐体部材に近付くように傾斜した斜面を有し、
前記突起の先端は、前記斜面をスライドするように、前記斜面に対向する斜面を有する、請求項３〜５のいずれか一項に記載の電子機器。
【発明の詳細な説明】
【技術分野】
【０００１】
本発明は、電子機器に関する。
【背景技術】
【０００２】
従来の電子機器として、例えば特許文献１及び特許文献２には、発光素子及び受光素子と電気回路基板とを収容する下筐体と、この下筐体の内部を覆う上筐体とを備えた光トランシーバが開示されている。この光トランシーバでは、上筐体の後端に形成された湾曲した舌部が下筐体の後端部に挿入される。また、上筐体の前端に形成された孔に下筐体の前端に形成された保持ピンが挿通される。上筐体及び下筐体は、保持ピンが上筐体の孔に挿通された状態で変形するか、保持ピンにクリップが取り付けられることによって固定される。
【先行技術文献】
【特許文献】
【０００３】
【特許文献１】米国特許第８，１２９，６３０号明細書
【特許文献２】米国特許第８，３５６，７２８号明細書
【発明の概要】
【発明が解決しようとする課題】
【０００４】
一般に、光トランシーバのような電子機器において、上筐体及び下筐体によって筐体が構成される場合がある。このような場合、上筐体と下筐体とを組み立てるために、ネジ等の固定部材を用いることがある。しかしながら、この場合、部品点数や作業工程が増加することによって、組み立ての作業効率が低下する虞がある。
【０００５】
本発明は、組み立ての作業効率の低下を抑制できる電子機器を提供することを目的とする。
【課題を解決するための手段】
【０００６】
本発明の一形態による電子機器は、第１方向に互いに対向する第１筐体部材と第２筐体部材とを有する筐体を備える電子機器であって、第１筐体部材に形成され、第１方向と交差する第２方向に延びる回転中心を有する回転軸と、第２筐体部材に形成され、回転軸を回転可能に支持するポケットと、回転軸及びポケットから第１方向及び第２方向と交差する第３方向に離間して第１筐体部材及び第２筐体部材に形成され、第１筐体部材と第２筐体部材とを係止させる係止機構と、を有し、ポケットの一端は、第１筐体部材に向けて開口した開口部となっており、ポケットの他端は、開口部から導入された軸部を支持する支持部となっており、ポケットの他端側の延在方向は、第３方向の成分を有している。
【発明の効果】
【０００７】
本発明の電子機器によれば、組み立ての作業効率の低下を抑制することができる。
【図面の簡単な説明】
【０００８】
【図１】図１は、一形態に係る電子機器を示す斜視図である。
【図２】図２は、上筐体が開状態にある場合の電子機器を示す斜視図である。
【図３】図３は、電子機器の上筐体を示す斜視図である。
【図４】図４は、電子機器の下筐体を示す斜視図である。
【図５】図５は、上筐体と下筐体との組立て過程を示す図である。
【図６】図６は、支持部に回転軸が支持される過程を説明するための図である。
【図７】図７は、突起が孔部に係止される過程を説明するための図である。
【図８】図８は、電子機器における長手方向に直交する断面模式図である。
【図９】図９は、他の形態に係る電子機器の上筐体を示す斜視図である。
【発明を実施するための形態】
【０００９】
本発明の実施形態に係る電子機器について光トランシーバを具体例として、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００１０】
［第１実施形態］
図１は、電子機器の一形態としての光トランシーバを示す斜視図である。図２は、筐体の組み立て過程において上筐体が開状態にある光トランシーバを示す斜視図である。光トランシーバ１は、上下方向（第１方向）に互いに対向する上筐体（第１筐体部材）１０と下筐体（第２筐体部材）２０とを有する筐体２を備える。筐体２は、上下方向及び左右方向（第２方向）と交差する前後方向（第３方向）を長手方向とする直方体形状である。上筐体１０及び下筐体２０は、例えば金属ダイカスト品である。
【００１１】
図３は、上筐体を示す斜視図である。図３に示すように、上筐体１０は、前後方向を長手方向として、左右方向を幅、上下方向を厚さとする板状の蓋部１１を有する。蓋部１１の前端には、左右方向に延びる回転中心を有する回転軸１２が形成されている。回転軸１２の両端は、蓋部１１の側面１３から突出した円柱状をなしている。蓋部１１の後端において、左右の両側面１３には、内側に陥没する円筒状の穴部１４がそれぞれ形成されている。側面１３における穴部１４の下側は、下方になるにつれて左右方向の幅が狭くなるように傾斜した傾斜面１４ａとなっている。蓋部１１の左右の両側面１３には、前後方向に離間して複数の突起１５ａ〜１５ｉ（以下、総称する場合には「突起１５」とする）がそれぞれ形成されている。複数の突起１５は、回転軸１２と穴部１４との間において長手方向（前後方向）に並んで配置されている。複数の突起１５は円柱状である。
【００１２】
図２、図４に示すように、下筐体２０は、筐体２が組み立てられた状態で上筐体１０の蓋部１１に対向する底部２１と、左右方向に離間して設けられる一対の側壁部２３とを有する。下筐体２０の前部には、光コネクタ（図示せず）が挿入される２つのレセプタクル部２６ａ、２６ｂが設けられている。レセプタクル部２６ａ，２６ｂの後側には、発光素子３ａ及び受光素子３ｂが並んで収容される素子収容部２７が設けられている。レセプタクル部２６ａ，２６ｂと素子収容部２７との間には、一対の側壁部２３間に延在する前壁部２８が形成されている。前壁部２８には、レセプタクル部２６ａ，２６ｂと素子収容部２７とを連通する２つの挿通孔２８ａが形成されている。さらに、素子収容部２７の後側には、発光素子３ａ及び受光素子３ｂに接続された電気回路基板５が収容される基板収容部２９が設けられている。電気回路基板５には、発光素子３ａ及び受光素子３ｂを駆動する駆動ＩＣ等の電子部品が実装されている。発光素子３ａの上部には、放熱用の熱伝導シート（弾性体）６が配置されている。熱伝導シート６は、例えばシリコーンを材料とした弾性体によって形成される。筐体２が組み立てられた状態において、熱伝導シート６は上筐体１０に当接し、発光素子３ａで発生した熱を放出する。
【００１３】
下筐体２０の側壁部２３には、上筐体１０の回転軸１２を回転可能に支持するポケット２２が形成されている。ポケット２２は、溝状をなしており、側壁部２３の内側面に形成されている。一方の側壁部２３に形成されたポケット２２から他方の側壁部２３に形成されたポケット２２までの距離は、回転軸１２の左右方の長さと同じか、クリアランスの分だけ小さくなっている。図５、６に示すように、ポケット２２の一端は、上側に向けて開口した開口部２２ａとなっている。すなわち、ポケット２２は側壁部２３の上面２３ａから連続する溝によって形成されている。図６に示すように、ポケット２２を形成する溝は、開口部２２ａから下向きに延在し、さらに後側に湾曲しながら延在している。ポケット２２の湾曲した部分では、上下方向及び前後方向に対して傾斜した曲面２２ｂが形成されている。ポケット２２の他端は、回転軸１２を支持する支持部２２ｃである。支持部２２ｃは、ポケット２２における後側に延在する部分によって構成されている。本実施形態では、支持部２２ｃは、ポケット２２の下向きに延在する部分から、回転軸１２の半径の分だけ後側にずれている。これにより、支持部２２ｃを構成するポケット２２の他端側の延在方向は、少なくとも前後方向の成分を有する。また、支持部２２ｃは、回転軸１２の周面に当接するように断面視において、回転軸１２の周面と同様の円弧状に形成されている。また、支持部２２ｃには、側壁部２３を左右方向に貫通する孔２２ｄが形成されており、支持部２２ｃに回転軸１２が支持されていることを容易に視認できる（図５参照）。
【００１４】
図４に示すように、下筐体２０の後端において、左右の両側壁部２３には、内側に突出する円筒状の突起２４がそれぞれ形成されている。これらの突起２４は、上筐体１０に形成された穴部１４に挿入されることによって、穴部１４に係止される。本実施形態では、突起２４の先端２４ａは、上筐体１０の穴部１４の下側に形成された傾斜面１４ａに対向するように傾斜している。そのため、上筐体１０と下筐体２０とを上下方向に嵌合させる場合には、突起２４の先端２４ａが上筐体１０の傾斜面１４ａをスライドしながら移動する。なお、図示例では、上筐体１０における蓋部１１の後端側が左右方向にくびれている。そのため、側壁部２３の後端側は、蓋部１１のくびれに応じて、内側に突出している。
【００１５】
下筐体２０における左右の両側壁部２３には、前後方向に離間して複数の孔部２５ａ〜２５ｉ（以下、総称する場合には「孔部２５」とする）がそれぞれ形成されている。複数の孔部２５は、ポケット２２と突起２４との間において長手方向（前後方向）に並んで配置されている。複数の孔部２５は円形断面を有し、左右方向に側壁部２３を貫通している。複数の孔部２５は、上筐体１０に形成された複数の突起１５が係止され得るように、複数の突起１５に対応した位置に形成されている。これにより、上筐体１０に形成された突起１５と、当該突起１５に対応する孔部２５とによって、複数の係止機構３５ａ〜３５ｉ（以下、総称する場合には「係止機構３５」とする）が構成される（図１参照）。
【００１６】
図７に示すように、側壁部２３の内面において、それぞれの孔部２５の上側には、凹部３１が形成されている。この凹部３１は、孔部２５に対応する突起１５を当該孔部２５にガイドする。凹部３１の前後方向の幅は、孔部２５の径と同じとなっている。凹部３１は、側壁部２３の上面２３ａから孔部２５まで延在している。凹部３１は、孔部２５に向かって上筐体１０に近付くように傾斜した斜面３１ａを有する。本実施形態では、孔部２５に対して内側から突起１５が挿入される。そのため、凹部３１の斜面３１ａは、上から下に向かうにつれて、幅方向（左右方向）内側に向かって傾斜している。また、突起１５の先端は、上から下に向かうにつれて、幅方向（左右方向）内側に向かって傾斜する斜面１６となっている。斜面１６は斜面３１ａに対向している。
【００１７】
続いて、筐体２の組立ての工程について、より詳細に説明する。図５に示すように、筐体２の組み立て工程では、上筐体１０が下筐体２０に対して左右方向に延びる回転軸を回転中心として約９０度回転された状態で、回転軸１２がポケット２２に導入される。ポケット２２に導入された回転軸１２は、図６に示すように、まず開口部２２ａから下方に移動する。次いで、回転軸１２が曲面２２ｂに達すると、回転軸１２は曲面２２ｂに当接しながら曲面２２ｂに沿って後方にスライドする。さらに上筐体１０が押し込まれることによって、回転軸１２はポケット２２の最も奥となる支持部２２ｃに達する。後方向きの成分を有する力が回転軸１２に加わっている状態では、回転軸１２は支持部２２ｃに当接している。この状態では、上筐体１０は支持部２２ｃにおいて回転軸１２を回転中心として回転自在となっている。
【００１８】
ここで、上筐体１０の側面に形成された斜面１８について説明する。斜面１８は回転軸１２を中心とする円弧状に形成されている。斜面１８は、上筐体１０が下筐体２０に組み付けられた際には下筐体２０の内側面３２に対向する。当該斜面１８が回転軸１２に対して円弧状に形成されていない場合、すなわち平面である場合、当該平面の回転軸１２からの距離として、少なくとも下筐体２０についての回転軸（支持部２２ｃ）から内側面３２の上辺３２ａまでの距離を確保しておかないと、上筐体１０を下筐体２０に対して組み付けることができなくなる。この場合、斜面１８の上辺１８ａと、内側面３２の上辺３２ａとの間に隙間が生じてしまう。斜面１８の上筐体１０の厚さ方向についての中央から回転軸１２までの距離を、少なくとも下筐体２０についての回転軸（支持部２２ｃ）から内側面３２の上辺３２ａまでの距離より大きく設定しておかない場合、たとえば、回転軸（支持部２２ｃ）から内側面３２までの距離と等しいか僅かに大きくした場合には、斜面１８の厚さ方向についての中央部が、内側面３２の上辺３２ａと干渉し、上筐体１０と下筐体２０とを組み付けることができない。本実施形態にかかる斜面１８は、回転軸１２に対して円弧状に形成されているので、すなわち、斜面１８の厚さ方向についての中央部が凹んでいるので、上筐体１０と下筐体２０とを組み付けることができるだけでなく、組み付けた後も斜面１８の上辺１８ａと内側面３２の上辺３２ａとの間に隙間を生ずることがない。
【００１９】
筐体２の組み立てに際しては、回転軸１２が支持部２２ｃに支持された状態で、上筐体１０の後端が下筐体２０に近づくように、上筐体１０が回転される。上筐体１０の回転に伴って、回転軸１２に近い係止機構３５ａから順番に、各係止機構３５が係止される。図７に示すように、係止機構３５では、突起１５の先端の斜面１６が、凹部３１をスライドしながら下方に移動し、孔部２５に係止される。突起１５の上部の長さ（左右方向の幅）Ｌ１は、孔部２５の上部における凹部３１の深さ（側壁部の内面からの距離）Ｌ２よりも、例えば０．１ｍｍ〜０．３ｍｍ程度大きい。そのため、孔部２５に突起１５が係止された状態では、突起１５の上部が孔部２５の上部に引っかかる。孔部２５に突起１５が挿入される際には、左右方向の一対の突起１５のそれぞれの斜面１６が凹部３１に当接されることによって、左右の側壁部２３が左右方向に互いに離れるように弾性変形する。このように、各係止機構３５が係止され、同様にして、下筐体２０の後端の突起２４が上筐体１０の後端の穴部１４に挿入されることによって、筐体２が組み立てられる。
【００２０】
図８に示されるように、筐体２が組み立てられた状態では、熱伝導シート６によって、上筐体１０と下筐体２０とが互いに離れる方向に押圧されている。これにより、係止機構３５では、孔部２５の内周面の上部に上筐体１０の突起１５の外周面の上部が当接される。そのため、孔部２５内における突起１５のガタツキが抑制される。
【００２１】
以上説明したように、本実施形態における光トランシーバ１では、ポケット２２の開口部２２ａを介して回転軸１２が支持部２２ｃに導入される。回転軸１２が支持部２２ｃに支持されている状態では、上筐体１０は下筐体２０に対して回転軸１２を回転中心として回転自在となっている。そして、上筐体１０の回転軸１２を支持部２２ｃに導入した状態で、係止機構３５によって上筐体１０と下筐体２０とを係止することによって、筐体２を容易に組み立てることができる。ポケット２２の支持部２２ｃ側の延在方向は、前後方向の成分を有している。これにより、回転軸１２が支持部２２ｃに支持された状態では、回転軸１２の上下方向の移動が抑制されている。そのため、筐体２が組み立てられた状態では、支持部２２ｃにおける回転軸１２の上下方向のガタツキが抑制される。したがって、筐体２のガタツキの発生を抑制しつつ、組み立てにおける作業効率の低下を抑制することができる。
【００２２】
また、ポケット２２には、回転軸１２を開口部２２ａから支持部２２ｃまでガイドするように、上下方向及び前後方向に対して傾斜した曲面２２ｂが形成されている。これにより、回転軸１２を開口部２２ａから導入した場合には、ポケット２２に形成された曲面２２ｂにガイドされながら回転軸１２が支持部２２ｃまで移動する。そのため、回転軸１２を支持部２２ｃに導入するに際し、特別な技術を必要としない。
【００２３】
また、筐体２は、前後方向を長手方向とする直方体形状であり、係止機構３５は、下筐体２０に形成される孔部２５と、上筐体１０に形成され、孔部２５に係止される突起１５とを有する。そして、複数の係止機構３５は長手方向に並んで配置されている。このように、長手方向に複数の係止機構３５を並べることによって、上筐体１０と下筐体２０と確実に係止することができる。
【００２４】
また、孔部２５には、突起１５を上下方向にガイドする凹部３１が設けられており、凹部３１は、孔部２５に向かって上筐体１０に近付くように傾斜した斜面３１ａを有する。突起１５の先端は、凹部３１の斜面３１ａをスライドするように、斜面３１ａに対向する斜面１６を有する。これにより、突起１５は斜面３１ａをスライドしながら移動して孔部２５に挿入される。斜面３１ａの傾斜が突起１５の挿入方向と逆なので、係止された突起１５が孔部２５から外れにくい。
【００２５】
［第２実施形態］
本実施形態では、係止機構の構成において第１実施形態と相違している。以下、主として第１実施形態と相違する点について説明し、同一の要素や部材については同一の符号を付して詳しい説明は省略する。
【００２６】
本実施形態では、第１実施形態の筐体２における上筐体１０に替えて図９に示す上筐体１１０が用いられる。上筐体１１０は、第１実施形態における上筐体１０と突起の配置のみ相違している。上筐体１１０は、回転軸１２と穴部１４との間に長手方向に並んだ複数の突起１１５ａ〜１１５ｉ（以下、総称する場合には「突起１１５」とする）を有している。これらの突起１１５は、下筐体２０に形成された孔部２５（図４参照）と共に係止機構を構成する。係止機構が係止されていない状態において、各孔部２５の中心位置同士の上下方向に関するズレのパターンは、各突起１１５の中心位置同士の上下方向に関するズレのパターンと相違する。本実施形態では、下筐体２０における各孔部２５の中心位置は上下方向の同じ位置に形成されている。すなわち、前後方向に隣り合う孔部２５の中心位置に上下方向のずれがない。一方、上筐体１１０では、前後方向に配置された９個の突起１１５のうち、中央の突起１１５ｅの中心位置のみが上側にずれている。換言すると、中央の係止機構では、孔部２５ｅの中心位置と隣り合う孔部２５ｄ（２５ｆ）の中心位置との上下方向に関するズレ量が、突起１１５ｅの中心位置と隣り合う突起１１５ｄ（１１５ｆ）の中心位置との上下方向に関するズレ量と相違する。これにより、全ての係止機構が係止された状態では、上筐体１０が弾性変形することになる。この状態では、孔部２５ｅに係止された突起１１５ｅが孔部２５ｅの上側の壁面に押圧される。そのため、係止機構におけるガタツキの発生が抑制される。
【００２７】
以上、本発明の実施の形態について図面を参照して詳述したが、具体的な構成はこの実施形態に限られるものではない。例えば、電子機器として、光トランシーバを例に説明したが、これに限定されず、複数の筐体部材が組み合わされて筐体を構成する電子機器であれば本発明を適用できる。
【００２８】
また、ポケットに上下方向及び前後方向に対して傾斜した曲面が形成されている例を示したが、これに限定されない。例えば、曲面に替えて上下方向及び前後方向に対して傾斜した傾斜面が形成されてもよい。
【００２９】
また、上筐体に形成された突起と下筐体に形成された孔部とによって構成される係止機構を例示したが、これに限定されない。例えば、上筐体に孔部を形成し、下筐体に突起を形成することによって、この孔部及び突起によって係止機構を構成してもよい。
【００３０】
また、第２実施形態において、上筐体に形成された突起のうち、中央の突起のみが上下方向にずれている例を示したが、これに限定されない。例えば、複数の突起の位置がずれていてもよいし、突起ではなく孔部がずれていてもよい。
【符号の説明】
【００３１】
１…光トランシーバ（電子機器）、２…筐体、１０…上筐体（第１筐体部材）、１１…蓋部、１２…回転軸、１３…側面、１４…穴部、１５，１５ａ〜１５ｉ…突起、１６…斜面、２０…下筐体（第２筐体部材）、２１…底部、２２…ポケット、２２ａ…開口部、２２ｂ…曲面、２２ｃ…支持部、２３…側壁部、２４…突起、２５，２５ａ〜２５ｉ…孔部、３１…凹部、３１ａ…斜面、３５，３５ａ〜３５ｉ…係止機構。
【図１】
2017126700.tif 000003
【図２】
2017126700.tif 000004
【図３】
2017126700.tif 000005
【図４】
2017126700.tif 000006
【図５】
2017126700.tif 000007
【図６】
2017126700.tif 000008
【図７】
2017126700.tif 000009
【図８】
2017126700.tif 000010
【図９】
2017126700.tif 000011